(57)【要約】【課題】  本考案では、背面に撮影用のカメラレンズを備えた携帯電話端末において、背面にある撮影用のカメラ機能を、３６０度の縦の範囲で撮影できる、携帯電話端末用のカメラスタンドを提供する。【解決手段】  携帯電話本体１０を携帯電話バーホルダー６の携帯電話用ホルダー上部１１と下部１２にて固定し、携帯電話本体１０の背面に備えられた携帯電話背面カメラ部１４を、携帯電話バーホルダー６のカメラ装着部２へ装着する。携帯電話バーホルダー６の、カメラ撮影部３のレンズにより入る映像は、プリズム１ｂからプリズム１ａへと反射して通り、更に携帯電話本体１０の背面に備えられた撮影用の携帯電話背面カメラ部１４へと送られる。携帯電話バーホルダー６のカメラ撮影部３を備えた回転体４は、内部が空洞になった回転部５を軸に、３６０度の縦回転ができ、回転体４を様々な角度で回転することで、３６０度の縦の範囲での映像を入手する事が可能になる。【選択図】図３
2017058649.tif 000002
【特許請求の範囲】
【請求項１】
携帯電話端末用のカメラスタンドにおいて、携帯電話バーホルダーの内部に少なくとも二つ以上のプリズム（反射鏡）Ａ、Ｂを内蔵し、携帯電話バーホルダーのカメラ撮影部から入る撮影対象の映像を、カメラ撮影部の内部に備えられたプリズム（反射鏡）Ｂから、カメラ装着部の内部に備えられたプリズム（反射鏡）Ａにて、撮影対象の映像を反射し、携帯電話端末の背面カメラ部へと、撮影対象の映像を送る事を特徴とする携帯電話端末用のカメラスタンド
【請求項２】
カメラ撮影部の備えられた回転体は、内部が空洞になった回転部を軸に、３６０度の範囲を縦回転し、様々な角度の映像を入手する事が可能になる事を特徴とする請求項１記載の携帯電話端末用のカメラスタンド
【発明の詳細な説明】
【技術分野】
【０００１】  本考案は携帯電話のカメラスタンドに関する。
【背景技術】
【０００２】  ほとんどの携帯電話にはカメラ機能が付いてるが、カメラ機能を使用する際には、なんらかの手段にて、携帯電話本体を固定すると、便利な場合が多々ある。【０００３】  従来式では、例えばカメラ用のカメラスタンドのように、携帯電話本体をカメラのように見立て、携帯電話ホルダーにて、携帯電話本体を固定し、カメラの撮影を補助できる携帯電話用の三脚スタンドがある。
【発明の開示】
【発明が解決しようとする課題】
【０００４】  本考案では、背面に撮影用のカメラレンズを備えた携帯電話端末において、背面にある撮影用のカメラ機能を、３６０度の縦の範囲で撮影できる、携帯電話端末用のカメラスタンドを提供する。
【課題を解決する為の手段】
【０００５】  携帯電話本体１０を携帯電話バーホルダー６の携帯電話用ホルダー上部１１と下部１２にて固定し、携帯電話本体１０の背面に備えられた携帯電話背面カメラ部１４を、携帯電話バーホルダー６のカメラ装着部２へ装着する。
【０００６】  （０００５）により携帯電話バーホルダー６の、カメラ撮影部３のレンズにより入る映像は、プリズム１ｂからプリズム１ａへと反射して通り、更に携帯電話本体１０の背面に備えられた撮影用の携帯電話背面カメラ部１４へと送られる。
【０００７】  携帯電話バーホルダー６のカメラ撮影部３を備えた回転体４は、内部が空洞になった回転部５を軸に、３６０度の縦回転ができ、回転体４を様々な角度で回転することで、３６０度の縦の範囲での映像を入手する事が可能になる。
【発明の効果】
【０００８】  回転体４に備えられたカメラ撮影部３のレンズの向きは、回転体４を手動回転にて、縦に３６０度の範囲で回転させる操作により、様々な範囲の映像情報を入手する事が可能となる。
【０００９】  例えば回転体４に備えられたカメラ撮影部３を下方向へ向ける事により、固定台７へ置いた本や、雑誌等の紙媒体等を、接写する事が可能になる。
【００１０】  また、回転体４に備えられたカメラ撮影部３のレンズの向きを、撮影者本人である自分のいる方向へ向ける事により、撮影者本人を撮影する事が可能となる。
【００１１】  景色を撮りたい場合には、カメラ撮影部３のレンズの向きを景色の方向へ向ける事により、携帯電話本体１０を動かすことなく撮影が可能である。
【００１２】  （０００８）から（００１１）のように、携帯電話本体１０を、本考案の携帯電話用のカメラスタンドで固定する事により、携帯電話本体１０の撮影での手ぶれを防ぎつつ、回転体４に備えられたカメラ撮影部３のレンズの向きを、撮影方向に回転移動させる事で、３６０度の様々な縦の範囲での映像の撮影が可能となる。
【００１３】  高さ調整ハンドル９は携帯電話バーホルダー６の高さを調整するのに使用する。
【００１４】  高さ調整ハンドル９はクリップ状にしてもよい。
【００１５】  クリップ状にする事で、支柱８や固定台７を使用することなく、支柱にできるポイントがあれば、携帯電話バーホルダー６をクリップ部にて、支柱にできるポイントを挟み込む事で、携帯電話バーホルダー６を固定することができる。
【００１６】  携帯電話バーホルダー６の回転体４内部に備えられている映像反射用のプリズム１ａ〜１ｂはプリズム１ａ〜１ｂの変わりに、反射鏡１ａ´〜１ｂ´を用いてもよい。
【００１７】  携帯電話バーホルダー６を固定する手段として、支柱８と固定台７の変わりに、三脚スタンドを用いてもよい。
【発明を実地する為の最良の形態】
【００１８】  固定台７に設置された支柱８に携帯電話バーホルダー６を固定する手段を設け、高さ調整ハンドル９で、携帯電話バーホルダー６の高さの調整が行える。
【００１９】  （００１８）によって撮影対象である物体の撮影位置をある程度調節する事ができる。
【００２０】  携帯電話バーホルダー６のカメラ装着部２には、携帯電話本体１０を装着可能である。
【００２１】  携帯電話１０を、携帯電話用ホルダー上部１１と携帯電話用ホルダー下部１２で挟み込み、携帯電話固定用位置調整ベルト１３で、携帯電話本体１０の位置を調節しながら機種別に固定することができる。
【００２２】  携帯電話１０の背面に備えられた携帯電話背面カメラ部１４を、携帯電話バーホルダー６のカメラ装着部２へと配置する。
【００２３】  カメラ撮影部３から入る撮影対象の映像は、カメラ撮影部３の内部に備えられたプリズム１ｂから、カメラ装着部２の内部に備えられたプリズム１ａにおいて、映像を反射し、携帯電話本体１０の携帯電話背面カメラ部１４へと送られる。
【００２４】  カメラ撮影部３を備えた回転体４を、３６０度の範囲で縦回転させる事により、正面あるいは上面、側面、下面など３６０度の様々な縦の範囲で撮影する事ができる。
【図面の簡単な説明】
【００２５】
【図１】  携帯電話のカメラスタンドを示した正面図である。
【図２】  携帯電話のカメラスタンドを示した上面図である。
【図３】  携帯電話のカメラスタンドを示した正面図と上面図である。
【符号の説明】
【００２６】１  プリズム
２  カメラ装着部
３  カメラ撮影部
４  回転体
５  回転部
６  携帯電話バーホルダー
７  固定台
８  支柱
９  高さ調整ハンドル
１０  携帯電話本体
１１  携帯電話用ホルダー上部
１２  携帯電話用ホルダー下部
１３  携帯電話固定用位置調整ベルト
１４  携帯電話背面カメラ部
【図１】
2017058649.tif 000003
【図２】
2017058649.tif 000004
【図３】
2017058649.tif 000005